(57)【要約】【目的】水槽内に設けられる内部式濾過装置であって、水槽内に噴出される濾過水の水勢を緩慢にし、加えて水槽内の占有スペースを少なくすると共に観賞魚を傷付けることがないようにした第１の使用態様と、水槽内に噴出される濾過水の水勢を高めて濾過能率を高めるようにした第２の使用態様とに使い分けるようにした。【構成】濾過ケースＣを横方向に偏平に形成し、その中央部上面３を水平面に形成して、そこに、濾過水を噴出する排水口群４を開口し、そこに煙突状の排水管Ｅを着脱可能に接続できるようにした。【選択図】      図９
2018011575.tif 000002
【特許請求の範囲】
【請求項１】
水槽（Ｖ）内に設置される濾過ケース（Ｃ）内に、濾材（Ｆ，１４）を収容すると共にポンプ（Ｐ）に連通する供給通路（９）を設け、その供給通路（９）の下流端より噴出する加圧流体を、濾過ケース（Ｃ）に開口した排水口群（４）を通して水槽（Ｖ）に噴出することにより、水槽（Ｖ）内の未浄化水を、濾過ケース（Ｃ）に開口した吸水口（６，７）を通して濾過ケース（Ｃ）内に吸引し、前記濾材（Ｆ，１４）を通して濾過したのち前記排水口群（４）を通して水槽（Ｖ）内に還流させるようにした、内部式濾過装置において、
前記濾過ケース（Ｃ）の中央上面（３）を水平面に形成してその上面に、前記排水口群（４）を開口すると共にそれらの排水口群（４）を囲繞して上下方向に延びる排水管（Ｅ）を着脱可能に接続可能としたことを特徴とする内部式濾過装置。
【請求項２】
前記濾過ケース（Ｃ）の水平な中央上面（３）に開口される排水口群（４）は、平面四角形に形成される複数の排水口（４1 ）を隣接配置してなることを特徴とする、前記請求項１に記載の内部式濾過装置。
【請求項３】
前記濾過ケース（Ｃ）の中央部上面（３）には、周方向に間隔をあけて複数の連結孔（５）が開口され、これらの連結孔（５）に、これらの連結孔（５）に対応して前記排水管（Ｅ）の下縁に設けた複数の連結片（３０）を着脱可能に接続可能としたことを特徴とする、前記請求項１または２に記載の内部式濾過装置。
【発明の詳細な説明】
【技術分野】
【０００１】
本発明は、金魚、熱帯魚、海水魚等の観賞魚用の内部式濾過装置の改良に関する。
【背景技術】
【０００２】
従来、前記観賞魚を飼育、育成するために、水槽内の水を濾過する濾過装置として、その濾過装置を水槽内に設置する一方水槽外にエアポンプを配設し、エアポンプからの加圧エアを濾過装置に送給することにより、その濾過装置に水槽内の未浄化水を循環させて濾過するようにした、所謂内部式濾過装置は良く知られている（たとえば、後記特許文献１参照）。
【先行技術文献】
【特許文献】
【０００３】
【特許文献１】特許第３８３７１９０号公報
【発明の概要】
【発明が解決しようとする課題】
【０００４】
ところで、このような内部式濾過装置は、濾過機能を高めるべく、濾過後の水を水槽内に噴出するための排水管は、濾過ケースの上方に長く突出させるのが濾過機能を高めるのに有効であるが、その反面、
(1) 水槽内に長く突出される排水管を有する濾過装置は、水槽内の観賞魚の遊泳空間を広く占有するばかりでなく外観上の目障りとなる。
(2) 排水管に観賞魚が接触して、観賞魚を傷付ける（鱗を剥がす等）ことがある。
(3) 排水管から噴出する濾過水の気泡中に含まれる炭酸ガス量が多くなり、水草の繁殖には好ましくない。
などの問題がある。
【０００５】
本発明はかかる実情に鑑みてなされたものであり、濾過ケースから排水管を分離して前記問題を解決した濾過装置として、あるいは濾過ケースに排水管を接続して濾過機能を高めた通常の濾過装置として、二様に使用可能とした、新規な濾過装置を提供することを目的とする。
【課題を解決するための手段】
【０００６】
前記目的達成のため、請求項１記載の発明は、水槽内に設置される濾過ケース内に、濾材を収容すると共にポンプに連通する供給通路を設け、その供給通路の下流端より噴出する加圧流体を、濾過ケースに開口した排水口群を通して水槽に放出することにより、水槽内の未浄化水を、濾過ケースに開口した吸水口を通して濾過ケース内に吸引し、前記濾材を通して濾過したのち前記排水口群を通して水槽内に還流させるようにした、内部式濾過装置において、
前記濾過ケースの中央上面を水平面に形成してその上面に、前記排水口群を開口すると共にそれらの排水口群を囲繞して上下方向に延びる排水管を着脱可能に接続可能としたことを特徴としている。
【０００７】
前記目的達成のため、請求項２記載の発明は、前記請求項１に記載のものにおいて、前記濾過ケースの水平な中央上面に開口される排水口群は、平面四角形に形成される複数の排水口を隣接配置してなることを特徴としている。
【０００８】
前記目的達成のため、請求項３記載の発明は、前記請求項１または２に記載のものにおいて、前記濾過ケースの中央部上面には、周方向に間隔をあけて複数の連結孔が開口され、これらの連結孔に、これらの連結孔に対応して前記排水管の下縁に設けた複数の連結片を着脱可能に接続可能としたことを特徴としている。
【発明の効果】
【０００９】
請求項１記載の発明によれば、前記濾過ケースの中央上面を水平面に形成してその中央上面に、前記排水口群を開口すると共にそれらの排水口群を囲繞して上下方向に延びる排水管を着脱可能に接続可能としたので、濾過ケースに排水管を接続しない第１の使用態様では、濾過装置は水槽内での占有空間を少なくして観賞魚の遊泳空間を広くとることができ濾過装置の外観上の体裁をよくすることができる上に濾過装置が観賞魚を傷付けることがない。また排水口から噴出される濾過水の水勢を緩慢にしてその濾過水から飛散する炭酸ガス量を少なくして水草の繁殖に好適である。また排出管を接続した第２の使用態様によれば、前記特許文献に示すものと同じく排出管により、そこから噴出する濾過水の水勢により濾過水の循環能率を高めることができる。
【００１０】
請求項２記載の発明によれば、濾過ケースの水平な中央上面に開口される排水口群は、平面四角形に形成される複数の排水口を隣接配置してなるので、排水口群は単位面積あたりの開口総面積を広くとることができ、排水口群より排出される濾過水の水勢をいっそう緩慢とすることができ、前記第１の使用態様の機能が高められる。
【００１１】
請求項３記載の発明によれば、前記濾過ケースの中央部上面には、周方向に間隔をあけて複数の連結孔が開口され、これらの連結孔に、これらの連結孔に対応して前記排水管の下縁に設けた複数の連結片を着脱可能に接続可能としたので、排水管の濾過ケースへの接続構造を簡素化すると共にその着脱操作が容易である。
【図面の簡単な説明】
【００１２】
【図１】排水管を取り外した内部式濾過装置の水槽内設置状態を示す斜視図
【図２】排水管を取り付けた内部式濾過装置の水槽内設置状態を示す斜視図
【図３】図１の３−３線矢視の内部式濾過装置の拡大斜視図
【図４】図３の４線矢視の内部式濾過装置の平面図
【図５】図３の５−５線に沿う断面図
【図６】排水管を取り付けた内部式濾過装置の斜視図
【図７】図６の７−７線に沿う断面図
【図８】図７の８−８線に沿う拡大平面図
【図９】内部式濾過装置の分解斜視図
【発明を実施するための形態】
【００１３】
図１〜９を参照して、本発明の好適な実施形態について説明する。
【００１４】
本発明に係る内部式濾過装置は、水槽Ｖ内の適所に設置して使用されるもので、図１に示すように、濾過ケースＣから排水管Ｅを取り外した第１の使用態様と、図２に示すように、濾過ケースＣに排水管Ｅを取り付けた第２の使用態様とで使用される。
【００１５】
次に、図１〜５および図９を参照して、濾過ケースＣから排水管Ｅを取り外した第１の使用態様での濾過装置の構造について説明する。
【００１６】
濾過ケースＣは、硬質の透明な硬質の合成樹脂材により構成されて、平面視八角形状に形成され、内部に上部濾過室Ｃｕを画成する上部濾過ケース１と、内部に下部濾過室Ｃｄを画成する下部濾過ケース２とを着脱可能に嵌合して構成されている。
【００１７】
上部濾過ケース１は、平面視八角形で上下方向に偏平に形成されていて、その下面は開放され、その上壁１1 は、外周より中央に向かって上り勾配の緩い傾斜面に形成され、その中央上面３は、水平な平坦面に形成されている。図４に明瞭に示すように、前記中央上面３には、その中央部に、四角孔よりなる複数の排水口４1 …よりなる排水口群４が開口されると共にその外周部に、複数（４つの）の連結孔５が、周方向に間隔をあけて穿設されており、これらの連結孔５により、後述の排水管Ｅが着脱可能に連結される。図４に示すように、各連結孔５は、濾過ケースＣの上下方向の中心線を中心とする円弧孔よりなり、これらの連結孔５は、排水管Ｅをバヨネット式に着脱可能に連結すべく、幅広部５1 と幅狭部５2 を有する。さらに、上部濾過ケース１の上面の傾斜面には多数の上部吸込孔６が、その全面にわたり放射状に開口されている。
【００１８】
一方、下部濾過ケース２は、上部濾過ケース１の開放下面に着脱可能に印籠嵌合されるように、それと同じく平面視八角形の皿状に形成されて、その上面は開放され、また底壁２1 にはその全面にわたり多数の下部吸水孔７が開口されている。下部濾過ケース２の底面の中心部には、上端を開放した供給口８が開口され、この供給口８は下部濾過ケース２の底壁２1 に形成した直径方向の供給通路９に連通されており、この供給通路９の開口端は、下部濾過ケース２の側壁２2 に開口され、この開口端には、エアポンプＰにエアパイプ１１を介して接続されるジョイント１０が嵌合されている。
【００１９】
上部濾過ケース１の外周部の対向位置には、差込孔１２1 を有する、対をなす差込舌片１２が垂設され、一方下部濾過ケース２の側壁２2 の対向位置には、前記差込舌片１２に対応して対をなす突起１３が突設され、これらの突起１３に、差込孔１２1 を係合することにより、下部濾過ケース２に、上部濾過ケース１を組み付けることで、濾過ケースＣが形成される。
【００２０】
下部濾過ケース２内には、粗な濾材としての大磯などの小石群１４が収容され、その濾材１４は、濾過装置を水槽Ｖ内に設置した際に、その浮き上がりを防止する重錘として働く。
【００２１】
下部濾過ケース２の開口上面には、八角形状の隔壁板Ｓが着脱可能に取り付けられる。この隔壁板Ｓは、硬質の合成樹脂材により、前記下部濾過ケース２の開口上面に密に係合されるべく、八角形に形成されており、その中央部にエアストン１５の挿通される円筒状の円筒凹部１６が形成される。また、この隔壁板Ｓには、その全面にわたり複数に連通孔１７が開口され、これらの連通孔１７を通して下部濾過室Ｃｄと上部濾過室Ｃｕとが連通される。またこの隔壁板Ｓの上面には、後述の濾材保持部材Ｈと協働して板状の密な濾材Ｆを、上下より保形保持する複数（８個）の下部リブ片１９が放射状に上方に向けて突設されており、これらの下部リブ片１９の上縁は、その外縁から内縁に向けて上り勾配の傾斜面に形成されており、またそれらの外縁は隔壁板Ｓの八角形の起立した外縁の各角部に達している。
【００２２】
上部濾過ケース１と、隔壁板Ｓとの間には濾材保持部材Ｈが介在される。この濾材保持部材Ｈは、前記隔壁板Ｓとで、それらの間に板状に濾材Ｆを保形保持する。
【００２３】
図９に示すように、この濾材保持部材Ｈは、上下面が開放されていて、円筒状の下部２１と、上方に向けて広がる八角筒状の上部２２とを有しており、それらの外周には、周方向に間隔をあけて複数の下部流水口２３および上部流水口２４が開口されている。そして、その円筒状の下部２１は、濾材Ｆの通孔２７を通して前記隔壁板Ｓの中央部の円筒凹部１６に嵌合される。
【００２４】
濾材保持部材Ｈの八角筒状の上部外周には、８つの上部リブ片２５が放射状に一体に突設されている。これらの上部リブ片２５と、前記隔壁板Ｓの８つの下部リブ片１９とは、周方向に位相がずれていて、相隣れる上部リブ片２５と下部リブ片１９との間には等しい間隔が保たれる。そして上部リブ片２５と下部リブ片１９とが協働して濾材Ｆを、図９に示すように、その外縁より中央に向けて上り勾配の傘状とし、その全周を波形状に保形する。
【００２５】
濾過ケースＣ内に収容されて、隔壁板Ｓと濾材保持部材Ｈ間に保持される濾材Ｆは、合成樹脂製の繊維をバインダーにより固めた不織布であって板状の素材から図９に示すように、八角形状に打ち抜いて形成されており、その中央に通孔２７が開口される。そして、この濾材Ｆは、その外周が八角形をなし、濾過ケースＣの内周面に密着して収容される大きさに形成される。
【００２６】
図６〜８に示すように、上部濾過ケース１の中央上面３には、排水管Ｅが着脱可能に連結される。排水管Ｅは、透明な硬質合成樹脂材により平面八角形の煙突状に形成されており、この排水管Ｅの下縁には、前記上部濾過ケース１の中央上面に穿設した前記４つの連結孔５に対応してフック片３１を有するフック状連結片３０が周方向に間隔をあけて下向きに一体に形成されている。図８に示すように、排水管Ｅを上部濾過ケース１の中央上面に位置させ、各連結片３０を各連結孔５の幅広部５1 に差し込んだのち、図８ａ′に示すように、排水管Ｅを周方向に回動すれば、各連結片３０は各連結孔５の幅狭部５2 に係合されて排水管Ｅを上部濾過ケース１の中央上面にバヨネット式に連結される。
【００２７】
また、排水管Ｅを図８ｂ′に示すように、回動すれば排水管Ｅを上部濾過ケース１から外すことができる。
【００２８】
前記濾過装置は、つぎの手順により組み付けられる。
【００２９】
まず、下部濾過ケース２内に粗な濾材を構成する小石群１４を収容してその開口上面を隔壁板Ｓにより閉じる。
【００３０】
つぎに、隔壁板Ｓ上に濾材Ｆ、濾材保持部材Ｈ、および上部濾過ケース１を順次重ね合わせ、この上部濾過ケース１を、前述したように下部濾過ケース２に取り付ければ、濾材Ｆは、隔壁板Ｓと濾材保持部材Ｈ間に保形保持されて、濾過装置は、排水管Ｅを有しない前記第１の使用態様に組み付けられる。
【００３１】
つぎに、図１，３，５を参照して、濾過装置の第１の使用態様の作用について説明する。
【００３２】
濾過装置を大磯等の小石群を収容した水槽Ｖの底面に設置し、供給通路９の一端にエアパイプ１１を接続されるエアポンプＰを駆動すると、そこからの加圧エアが供給通路９より供給口８へと流れ、エアストン１５を通り、気泡状となって濾材保持部材Ｈ内に流れ、そこから上部濾過ケース１の中央上面３に開口した排水口群４を通って水槽Ｖ内へ噴出される。これにより、濾過ケースＣ内に吸水力が作用して図５矢印ａに示すように、水槽Ｖ内の未浄化の水は濾過ケースＣの上部吸水口６から濾過ケースＣの上流側に流入し、そこから密な濾材Ｆを通過したのち、その下流側に流入する。
【００３３】
一方、水槽Ｖの底部の未浄化水は、図５矢印ｂに示すように、濾過ケースＣの底壁に穿設した下部吸水口７から下部濾過室Ｃｄに吸入され、小石群よりなる粗な濾材１４を通過したのち、隔壁板Ｓの連通孔１７を通って上部濾過室Ｃｕに流入する。そして密な濾材Ｆを通過して濾過された水と、粗な濾材１４を通過して濾過された水は合流して、そこから、図５ｃに示すように、水槽Ｖ内に還流される。
【００３４】
而して、濾過装置の第１の使用態様によれば、濾過された水は、図５に示すように、上部濾過ケース１の平坦な中央上面３に開口した排水口群４を通って直接水槽Ｖ内に戻されて濾過作用をなし、排水管Ｅを有しない濾過装置は水槽Ｖ内での占有スペースを小さくして外観上の体裁を良くすることができ、特に、濾過ケースＣの上面は、平坦面に形成されるので、水槽Ｖ内の観賞魚は、濾過ケースＣ上を自由に遊泳して、濾過ケースＣに接触することを極力抑えることができる。また排水口群４より噴出する濾過水の水勢は比較的緩慢となり、水槽Ｖ内の遠方まで飛散することがないことから、濾過水から発散する炭酸ガスの放出量が低減されることになり、水草（炭酸ガスを嫌う）の育成を主体とした水槽水の濾過に好適である。
【００３５】
また、図４に明瞭に示すように、排水口群４は、四角形に形成されて相互に隣接配置される複数の排水口４1 …よりなることから、単位面積あたりの排水口群４の総面積を大きくすることができ、排水口群４から噴出する濾過水の流量を増やしてそこから噴出する濾過水の水勢を一層緩慢にすることができる。
【００３６】
なお、排出管Ｅに連結用連結孔５からも濾過水の排出が可能である。
【００３７】
次に、図２および図６〜８を参照して、濾過装置の第２の使用態様について説明する。      
【００３８】
この第２の使用態様では、上部濾過ケース１の中央上面に排水管Ｅが接続される。すなわち、排出管３下端の複数のフック状連結片３０を、上部濾過ケース１の中央上面の複数の連結孔５に前述の要領で差込連結する。
【００３９】
前記第１の使用態様と同じく、エアストン１５からの加圧エアにより、濾材Ｆ，１４を通過して濾過された水は複数の排水口群４を通って煙突状の排水管Ｅに送給される。排水管Ｅ内の気泡を含んだ濾過水は、勢いよく水槽Ｖ内に噴出される。
【００４０】
而して、この第２の使用態様によれば、排水口群４から排水される濾過水は、排水管Ｅを通って水槽Ｖ内に噴出されることにより、その水勢が高められて、前記特許文献１のものと同じく水槽Ｖ内での循環能率をよくして、濾過能率を高めることができる。
【００４１】
なお、濾過装置は、濾過ケースＣと、排水管Ｅを分離した状態で梱包可能であることから、梱包容積を、従来のこの種濾過装置よりも小さくすることが可能となり、輸送コストの低減に寄与し得る。
【００４２】
以上、本発明の実施の形態について説明したが、本発明はそれに限定されることなく、本発明の範囲内で種々の実施の形態が可能である。
【００４３】
たとえば、供給通路に接続されるエアポンプをウオータポンプに代えてもよく、この場合、供給通路の下流端は排水口群に直接対向させる。
【符号の説明】
【００４４】
３・・・・・・・中央上面
４・・・・・・・排水口群
４1 ・・・・・・排水口
５・・・・・・・連結孔
６・・・・・・・上部吸水口（吸込口）
７・・・・・・・下部吸水口（吸込口）
９・・・・・・・供給通路
１４・・・・・・・濾材（粗な濾材）  
３０・・・・・・・連結片
Ｃ・・・・・・・濾過ケース
Ｅ・・・・・・・排水管
Ｆ・・・・・・・濾材（密な濾材）
Ｐ・・・・・・・エアポンプ（ポンプ）
Ｖ・・・・・・・水槽
【図１】
2018011575.tif 000003
【図２】
2018011575.tif 000004
【図３】
2018011575.tif 000005
【図４】
2018011575.tif 000006
【図５】
2018011575.tif 000007
【図６】
2018011575.tif 000008
【図７】
2018011575.tif 000009
【図８】
2018011575.tif 000010
【図９】
2018011575.tif 000011